(57)【特許請求の範囲】
【請求項１】
第１撮像部と第１通信部と第１表示部と第１制御部とを含み、前記第１表示部に相手方の画像を表示しながら通話することが可能なテレビ電話機能を有する第１通話機器と、
第２撮像部と第２通信部と第２表示部と第２制御部とを含み、前記第２表示部に相手方の画像を表示しながら通話することが可能なテレビ電話機能を有する第２通話機器とを備え、
前記第１通話機器または前記第２通話機器の一方から他方の電話が掛けられた場合、通信セッションが開始されるように構成されており、
前記第１通話機器の第１制御部は、前記通信セッション中に、前記第２通話機器に対して画像の送信を要求する画像要求信号を前記第１通信部を介して前記第２通話機器に送信するように構成されており、
前記第２通話機器の第２制御部は、前記通信セッション中に、前記第１通話機器との通話中に前記第１通話機器の前記第１表示部に表示される画像を前記第２通信部を介して送信するとともに、通話中に前記第１通話機器から送信される前記画像要求信号を前記第２通信部により受信した場合に、前記通信セッションを終了しないで前記第１通話機器との通話が終了した後に前記画像要求信号に対応する画像を前記第２通信部を介して前記第１通話機器に送信するように構成されている、テレビ電話システム。
【請求項２】
前記第２通話機器は、画像の解像度を高解像度から低解像度に変換する解像度変換部をさらに含み、
前記第２通話機器の第２制御部は、前記第１通話機器との通話中に前記解像度変換部により低解像度に変換された低解像度画像を前記第１通話機器に送信するとともに、前記画像要求信号を受信した場合に、前記第１通話機器との通話が終了した後に前記解像度変換部による変換前の高解像度画像を前記第１通話機器に送信するように構成されている、請求項１に記載のテレビ電話システム。
【請求項３】
前記第２通話機器の第２制御部は、前記第１通話機器との通話中に、前記第２通話機器の前記第２撮像部により撮像された高解像度画像を前記解像度変換部により低解像度画像に変換して前記第１通話機器に送信するとともに、通話中に前記第２撮像部により撮像された画像に対する前記画像要求信号を受信した場合に、前記第１通話機器との通話が終了した後に前記画像要求信号に対応する前記第２撮像部により撮像された高解像度画像を前記第１通話機器に送信するように構成されている、請求項２に記載のテレビ電話システム。
【請求項４】
前記第２通話機器は、高解像度画像を記憶する記憶部をさらに含み、
前記第２通話機器の第２制御部は、前記画像要求信号を受信した場合に、前記第１通話機器との通話が終了した後に前記記憶部に記憶された高解像度画像を前記第１通話機器に送信するように構成されている、請求項２または３に記載のテレビ電話システム。
【請求項５】
前記第２通話機器の前記記憶部には、前記画像要求信号に対応する前記第２撮像部により撮像された高解像度画像が記憶されており、
前記第２通話機器の第２制御部は、前記第１通話機器との通話中に前記第２撮像部により撮像された画像に対する前記画像要求信号を前記第１通話機器から受信した場合に、前記第１通話機器との通話が終了した後に前記第２撮像部により撮像されて前記記憶部に記憶された高解像度画像を前記第１通話機器に送信するように構成されている、請求項４に記載のテレビ電話システム。
【請求項６】
前記第２通話機器の前記記憶部には、前記第１通話機器に対して公開する高解像度画像からなる公開画像が記憶されており、
前記第２通話機器の第２制御部は、前記公開画像の閲覧要求に応じて、前記第１通話機器との通話中に前記記憶部に記憶された前記高解像度画像からなる公開画像を前記解像度変換部により低解像度画像に変換して前記第１通話機器に送信するとともに、閲覧された前記公開画像のうちの少なくとも一部に対して通話中に前記画像要求信号を前記第１通話機器から受信した場合に、前記第１通話機器との通話が終了した後に前記画像要求信号に対応する前記記憶部に記憶された高解像度画像からなる公開画像を前記第１通話機器に送信するように構成されている、請求項４に記載のテレビ電話システム。
【請求項７】
前記第１通話機器および前記第２通話機器のうち少なくとも一方は、表示範囲受付部と画像処理部とを含み、
前記表示範囲受付部は、対応する前記第１表示部または前記第２表示部に表示される画像の表示範囲の制限情報を受け付けるように構成されており、
前記画像処理部は、前記表示範囲受付部により受け付けられた表示範囲に前記画像が表示されるように、前記第１撮像部または前記第２撮像部により撮像された画像を処理するように構成されており、
前記第１通話機器および前記第２通話機器のうち、前記表示範囲受付部および前記画像処理部を含む少なくとも一方側において、前記第１制御部または前記第２制御部は、通話中に前記画像処理部により処理された画像を相手方に送信するように構成されている、請求項１〜６のいずれか１項に記載のテレビ電話システム。
【請求項８】
前記表示範囲受付部は、タッチパネル機能を有する前記第１表示部または前記第２表示部により構成されているとともに、前記タッチパネル機能を用いて前記表示範囲の制限情報を受け付けるように構成されている、請求項７に記載のテレビ電話システム。
【請求項９】
前記表示範囲受付部は、通話相手に応じた前記表示範囲の制限情報を受け付けるように構成されており、
前記第１通話機器および前記第２通話機器のうち、前記表示範囲受付部および前記画像処理部を含む少なくとも一方側において、前記第１制御部または前記第２制御部は、通話中に前記表示範囲受付部により受け付けられた前記通話相手に応じた表示範囲の画像を相手方に送信するように構成されている、請求項７または８に記載のテレビ電話システム。
【請求項１０】
前記第１通話機器の第１制御部は、前記第１通話機器側の前記画像要求信号を前記第２通話機器に対して送信する際に、前記第１通話機器に対して画像を送信することの可否を前記第２通話機器側に問う送信可否信号を前記第１通信部を介して前記第２通話機器に送信するように構成されており、
前記第２通話機器は、前記第１通話機器から送信される前記送信可否信号を前記第２通信部により受信した場合に、前記画像の送信を許可する許可情報を受け付ける許可受付部をさらに含み、
前記第２通話機器の第２制御部は、前記許可受付部により前記許可情報が受け付けられない場合には、前記画像要求信号に対応する画像を前記第１通話機器に送信しないように構成されている、請求項１〜９のいずれか１項に記載のテレビ電話システム。
【請求項１１】
前記第１通話機器および前記第２通話機器の少なくとも一方は、アナログ電話機を接続可能に構成されているとともに、接続された前記アナログ電話機に対して音声信号を送受信するアナログ電話通信部をさらに含み、
前記第１通話機器および前記第２通話機器のうち前記アナログ電話通信部を含む少なくとも一方側において、前記第１制御部または前記第２制御部は、前記アナログ電話機を介して入力された音声信号と、前記音声信号に対応する前記第１撮像部または前記第２撮像部により撮像された画像とのタイミングを合わせるように構成されている、請求項１〜１０のいずれか１項に記載のテレビ電話システム。
【発明の詳細な説明】
【技術分野】
【０００１】
この発明は、テレビ電話システムに関し、特に、通話中に相手方に画像を送信するテレビ電話システムに関する。
【背景技術】
【０００２】
従来、通話中に相手方に画像を送信するテレビ電話機が知られている（たとえば、特許文献１および２参照）。
【０００３】
上記特許文献１には、通話中に相手方の表示部に表示される画像を送信可能なテレビ電話機が開示されている。このテレビ電話機では、通話中に相手方の表示部に表示されるテレビ電話機のユーザの撮像画像（静止画像）、または、キャラクタ画像やライブ画像の中からユーザにより選択される画像のいずれか一方を選択して通話中に相手方に送信する。なお、上記特許文献１には、相手方のテレビ電話機からこちらのテレビ電話機に対して画像の送信要求があった場合に相手方のテレビ電話機に要求された画像を送信する構成については記載されていない。
【０００４】
また、上記特許文献２には、通話中に相手方の表示部に表示される画像および音声データを相手方に送信する際に、相手方の表示部に表示される画像を所定量送信した後に音声データを送信するテレビ電話機が開示されている。なお、上記特許文献２には、相手方のテレビ電話機からこちらのテレビ電話機に対して画像の送信要求があった場合に相手方のテレビ電話機に要求された画像を送信する構成については記載されていない。
【先行技術文献】
【特許文献】
【０００５】
【特許文献１】特開２００５−２７７８８４号公報
【特許文献２】特開平８−１４９４３６号公報
【発明の概要】
【発明が解決しようとする課題】
【０００６】
上記したように、特許文献１および２には、相手方のテレビ電話機からこちらのテレビ電話機に対して画像の送信要求があった場合に相手方のテレビ電話機に要求された画像を送信する構成については記載されていないため、相手方が要求する画像を送信することができないと考えられる。また、たとえ上記特許文献１および２のテレビ電話機が相手方の要求する画像を送信可能な構成であったとしても、これらのテレビ電話機では、通話中に相手方のテレビ電話機の表示部に表示される画像を送信する処理と並行して、通話中に相手方のテレビ電話機が要求する画像を送信すると考えられる。この場合、通話中に音声信号および相手方の表示部に表示される画像を送信しながら、さらに相手方の要求する画像を送信する必要があるので、通話中に送信される情報量が増大して通話中のテレビ電話の処理に不具合が生じる虞があるという問題点がある。
【０００７】
この発明は、上記のような課題を解決するためになされたものであり、この発明の１つの目的は、通話中のテレビ電話の処理に不具合が生じるのを抑制しながら、相手方が要求する画像を送信することが可能なテレビ電話システムを提供することである。
【課題を解決するための手段および発明の効果】
【０００８】
この発明の一の局面によるテレビ電話システムは、第１撮像部と第１通信部と第１表示部と第１制御部とを含み、第１表示部に相手方の画像を表示しながら通話することが可能なテレビ電話機能を有する第１通話機器と、第２撮像部と第２通信部と第２表示部と第２制御部とを含み、第２表示部に相手方の画像を表示しながら通話することが可能なテレビ電話機能を有する第２通話機器とを備えている。そして、第１通話機器または第２通話機器の一方から他方の電話が掛けられた場合、通信セッションが開始されるように構成されており、第１通話機器の第１制御部は、通信セッション中に、第２通話機器に対して画像の送信を要求する画像要求信号を第１通信部を介して第２通話機器に送信するように構成されている。また、第２通話機器の第２制御部は、通信セッション中に、第１通話機器との通話中に第１通話機器の第１表示部に表示される画像を第２通信部を介して送信するとともに、通話中に第１通話機器から送信される画像要求信号を第２通信部により受信した場合に、通信セッションを終了しないで第１通話機器との通話が終了した後に画像要求信号に対応する画像を第２通信部を介して第１通話機器に送信するように構成されている。
【０００９】
この発明の一の局面によるテレビ電話システムでは、上記のように、通話中に第１通話機器から送信される画像要求信号を第２通信部により受信した場合に、第１通話機器との通話が終了した後に画像要求信号に対応する画像を第１通話機器に送信する制御を行う第２制御部を第２通話機器に設けることによって、相手方（第１通話機器）との通話が終了した後に相手方が要求する画像が送信されるので、通話中に送信する情報量を増大させることなく相手方が要求する画像を送信することができる。その結果、通話中のテレビ電話の処理に不具合が生じるのを抑制しながら、相手方が要求する画像を送信することができる。
【００１０】
上記一の局面によるテレビ電話システムにおいて、好ましくは、第２通話機器は、画像の解像度を高解像度から低解像度に変換する解像度変換部をさらに含み、第２通話機器の第２制御部は、第１通話機器との通話中に解像度変換部により低解像度に変換された低解像度画像を第１通話機器に送信するとともに、画像要求信号を受信した場合に、第１通話機器との通話が終了した後に解像度変換部による変換前の高解像度画像を第１通話機器に送信するように構成されている。このように構成すれば、通話中に低解像度画像を送信して送信する情報量を低減しながら、通話が終了した後に相手方が要求する画像を高解像度画像で送信することができる。これにより、通話中のテレビ電話の処理に不具合が生じるのを抑制しながら、相手方が要求する画像を高画質の高解像度画像で送信することができる。
【００１１】
この場合、好ましくは、第２通話機器の第２制御部は、第１通話機器との通話中に、第２通話機器の第２撮像部により撮像された高解像度画像を解像度変換部により低解像度画像に変換して第１通話機器に送信するとともに、通話中に第２撮像部により撮像された画像に対する画像要求信号を受信した場合に、第１通話機器との通話が終了した後に画像要求信号に対応する第２撮像部により撮像された高解像度画像を第１通話機器に送信するように構成されている。このように構成すれば、通話中のテレビ電話の処理に不具合が生じるのをより抑制しながら、相手方が要求する第２撮像部により撮像された画像を高画質の高解像度画像で送信することができる。
【００１２】
上記第２通話機器が解像度変換部を含む構成において、好ましくは、第２通話機器は、高解像度画像を記憶する記憶部をさらに含み、第２通話機器の第２制御部は、画像要求信号を受信した場合に、第１通話機器との通話が終了した後に記憶部に記憶された高解像度画像を第１通話機器に送信するように構成されている。このように構成すれば、相手方が要求する高解像度画像を記憶部から読み出して容易に相手方に高画質の高解像度画像を送信することができる。
【００１３】
上記第２通話機器が記憶部を含む構成において、好ましくは、第２通話機器の記憶部には、画像要求信号に対応する第２撮像部により撮像された高解像度画像が記憶されており、第２通話機器の第２制御部は、第１通話機器との通話中に第２撮像部により撮像された画像に対する画像要求信号を第１通話機器から受信した場合に、第１通話機器との通話が終了した後に第２撮像部により撮像されて記憶部に記憶された高解像度画像を第１通話機器に送信するように構成されている。このように構成すれば、相手方が要求する第２撮像部により撮像された高解像度画像を記憶部から読み出して容易に相手方に第２撮像部により撮像された高画質の高解像度画像を送信することができる。
【００１４】
上記第２通話機器が記憶部を含む構成において、好ましくは、第２通話機器の記憶部には、第１通話機器に対して公開する高解像度画像からなる公開画像が記憶されており、第２通話機器の第２制御部は、公開画像の閲覧要求に応じて、第１通話機器との通話中に記憶部に記憶された高解像度画像からなる公開画像を解像度変換部により低解像度画像に変換して第１通話機器に送信するとともに、閲覧された公開画像のうちの少なくとも一部に対して通話中に画像要求信号を第１通話機器から受信した場合に、第１通話機器との通話が終了した後に画像要求信号に対応する記憶部に記憶された高解像度画像からなる公開画像を第１通話機器に送信するように構成されている。このように構成すれば、通話中に低解像度画像に変換された公開画像を送信して送信する情報量が増大するのを抑制しながら、相手方が要求する高解像度画像からなる公開画像を記憶部から読み出して容易に相手方に高画質の高解像度画像からなる公開画像を送信することができる。
【００１５】
上記一の局面によるテレビ電話システムにおいて、好ましくは、第１通話機器および第２通話機器のうち少なくとも一方は、表示範囲受付部と画像処理部とを含み、表示範囲受付部は、対応する第１表示部または第２表示部に表示される画像の表示範囲の制限情報を受け付けるように構成されており、画像処理部は、表示範囲受付部により受け付けられた表示範囲に画像が表示されるように、第１撮像部または第２撮像部により撮像された画像を処理するように構成されており、第１通話機器および第２通話機器のうち、表示範囲受付部および画像処理部を含む少なくとも一方側において、第１制御部または第２制御部は、通話中に画像処理部により処理された画像を相手方に送信するように構成されている。このように構成すれば、表示範囲が制限された状態の画像が相手方に送信されるので、撮像部により撮像された画像のうちの相手に見られたくない部分を見られないようにすることができる。
【００１６】
この場合、好ましくは、表示範囲受付部は、タッチパネル機能を有する第１表示部または第２表示部により構成されているとともに、タッチパネル機能を用いて表示範囲の制限情報を受け付けるように構成されている。このように構成すれば、操作が容易なタッチパネル機能によりユーザにとって表示範囲を指定し易くすることができる。
【００１７】
上記第１通話機器および第２通話機器の少なくとも一方が表示範囲受付部を含む構成において、好ましくは、表示範囲受付部は、通話相手に応じた表示範囲の制限情報を受け付けるように構成されており、第１通話機器および第２通話機器のうち、表示範囲受付部および画像処理部を含む少なくとも一方側において、第１制御部または第２制御部は、通話中に表示範囲受付部により受け付けられた通話相手に応じた表示範囲の画像を相手方に送信するように構成されている。このように構成すれば、通話相手によって見られたくない部分が異なる場合にも、見られたくない部分を通話相手に応じて適切に見られないようにすることができる。
【００１８】
上記一の局面によるテレビ電話システムにおいて、好ましくは、第１通話機器の第１制御部は、第１通話機器側の画像要求信号を第２通話機器に対して送信する際に、第１通話機器に対して画像を送信することの可否を第２通話機器側に問う送信可否信号を第１通信部を介して第２通話機器に送信するように構成されており、第２通話機器は、第１通話機器から送信される送信可否信号を第２通信部により受信した場合に、画像の送信を許可する許可情報を受け付ける許可受付部をさらに含み、第２通話機器の第２制御部は、許可受付部により許可情報が受け付けられない場合には、画像要求信号に対応する画像を第１通話機器に送信しないように構成されている。このように構成すれば、ユーザが許可しない限り相手方が要求する画像が相手方に送信されないので、ユーザが相手方の要求する画像を相手方に送信したくない場合に、相手方が要求する画像がユーザの意に反して送信されてしまうのを防止することができる。
【００１９】
上記一の局面によるテレビ電話システムにおいて、好ましくは、第１通話機器および第２通話機器の少なくとも一方は、アナログ電話機を接続可能に構成されているとともに、接続されたアナログ電話機に対して音声信号を送受信するアナログ電話通信部をさらに含み、第１通話機器および第２通話機器のうちアナログ電話通信部を含む少なくとも一方側において、第１制御部または第２制御部は、アナログ電話機を介して入力された音声信号と、音声信号に対応する第１撮像部または第２撮像部により撮像された画像とのタイミングを合わせるように構成されている。このように構成すれば、テレビ電話の通話機能としてアナログ電話機を用いた場合でも、音声と画像とのタイミングが合った状態でテレビ電話で通話することができる。
【図面の簡単な説明】
【００２０】
【図１】本発明の第１実施形態によるテレビ電話システムの全体構成を示した概略図である。
【図２】本発明の第１実施形態によるテレビ電話システムが備えるデジタルフォトフレームの構成を示したブロック図である。
【図３】本発明の第１実施形態によるテレビ電話システムのテレビ電話通話処理を説明するためのフローチャートである。
【図４】本発明の第１実施形態によるテレビ電話システムの表示範囲設定処理を説明するためのフローチャートである。
【図５】本発明の第１実施形態によるテレビ電話システムの表示範囲設定処理を説明するための表示画面を示した図である。
【図６】本発明の第１実施形態によるテレビ電話システムの表示範囲設定処理を説明するためのフレームを示した図である。
【図７】本発明の第１実施形態によるテレビ電話システムの撮像画像送信処理を説明するためのフローチャートである。
【図８】図７のステップＳ２１およびＳ４１におけるテレビ電話開始処理を説明するためのフローチャートである。
【図９】図７のステップＳ２１およびＳ４１におけるテレビ電話開始処理を説明するための表示画面を示した図である。
【図１０】本発明の第２実施形態によるテレビ電話システムの公開画像送信処理を説明するためのフローチャートである。
【図１１】本発明の第２実施形態によるテレビ電話システムの公開画像送信処理を説明するための公開フォルダ閲覧ボタンを示した図である。
【図１２】本発明の第２実施形態によるテレビ電話システムの公開画像送信処理を説明するためのサムネイル画像を示した図である。
【発明を実施するための形態】
【００２１】
以下、本発明を具体化した実施形態を図面に基づいて説明する。
【００２２】
（第１実施形態）
まず、図１および図２を参照して、本発明の第１実施形態によるテレビ電話システム１の構成について説明する。
【００２３】
本発明の第１実施形態によるテレビ電話システム１は、図１に示すように、ユーザ１側のデジタルフォトフレーム１００と、ユーザ２側のデジタルフォトフレーム２００とによって構成されている。デジタルフォトフレーム１００および２００は、同様の構成を有し、ともにテレビ電話機として機能するように構成されている。なお、デジタルフォトフレーム１００は、本発明の「第１通話機器」の一例であり、デジタルフォトフレーム２００は、本発明の「第２通話機器」の一例である。
【００２４】
デジタルフォトフレーム１００（２００）は、図１に示すように、正面から見て矩形形状を有する本体部１１０（２１０）を備えている。本体部１１０（２１０）の正面側の表面には、矩形形状の表示部１１１（２１１）が設けられている。また、本体部１１０（２１０）の正面側の表面には、表示部１１１（２１１）に隣接して操作部１１２（２１２）が配置されている。また、本体部１１０（２１０）の側面には、メディア接続部１１３（２１３）が設けられている。また、図２に示すように、本体部１１０（２１０）の内部には、フラッシュＲＯＭ（ＦＬＡＳＨ  ＲＯＭ）１１４（２１４）、ＲＡＭ１１５（２１５）、無線ネットワーク通信部１１６ａ（２１６ａ）、有線ネットワーク通信部１１６ｂ（２１６ｂ）、電源システム部１１７（２１７）、音声入出力部１１８（２１８）、撮像部１１９（２１９）、ＳＬＩＣ（Ｓｕｂｓｃｒｉｂｅｒ  Ｌｉｎｅ  Ｉｎｔｅｒｆａｃｅ  Ｃｉｒｃｕｉｔ）１２０（２２０）、および、制御部（ＣＰＵ）１２１（２２１）が設けられている。
【００２５】
表示部１１１（２１１）は、液晶ディスプレイからなり、テレビ電話中に相手方から送信される画像を表示するように構成されている。また、表示部１１１（２１１）は、メディア接続部１１３（２１３）に接続されたメディア（図示せず）内のデジタル画像を表示可能に構成されている。また、表示部１１１（２１１）は、タッチパネル機能を有している。また、表示部１１１（２１１）には、ユーザの指示に基づいて、電話番号を入力するための番号ボタン、受話器を上げた状態（オフフック状態）にするためのオフフックボタン、および、受話器を置いた状態（オンフック状態）にするためのオンフックボタンが表示される。また、表示部１１１（２１１）は、デジタルフォトフレーム１００（２００）の各種設定を行うための設定画面を表示可能に構成されている。また、表示部１１１（２１１）は、デジタルフォトフレーム１００（２００）がテレビ電話として機能しない場合（デジタルフォトフレームとして機能する場合）に、１つの画像（写真画像）を表示する固定表示や複数の画像（写真画像）を所定間隔で切り替えながら表示するスライドショー表示など、異なる表示態様で画像を表示可能に構成されている。なお、表示部１１１は、本発明の「第１表示部」の一例であり、表示部２１１は、本発明の「第２表示部」の一例である。
【００２６】
操作部１１２（２１２）は、表示部１１１（２１１）に表示される各種の画面において、表示された項目を選択して決定するために設けられている。
【００２７】
メディア接続部１１３（２１３）は、ＳＤメモリカード（Ｓｅｃｕｒｅ  Ｄｉｇｉｔａｌ  Ｍｅｍｏｒｙ  Ｃａｒｄ）（登録商標）、ｘＤピクチャカード（登録商標）、ＣＦカード（Ｃｏｍｐａｃｔ  Ｆｌａｓｈ  Ｃａｒｄ）（登録商標）、メモリスティック（登録商標）などの各種メディアに対応可能に構成されている。
【００２８】
フラッシュＲＯＭ１１４（２１４）は、書き換え可能な不揮発性メモリであり、メディア接続部１１３（２１３）を介して読み取られた各種メディア内の画像データを記憶することが可能である。また、フラッシュＲＯＭ１１４（２１４）は、後述するように、撮像部１１９（２１９）により撮像された高画質の高解像度画像を記憶することが可能に構成されている。なお、フラッシュＲＯＭ２１４は、本発明の「記憶部」の一例である。
【００２９】
ＲＡＭ１１５（２１５）は、揮発性メモリであり、制御部１２１（２２１）の作業領域として利用される。
【００３０】
無線ネットワーク通信部１１６ａ（２１６ａ）は、他の通信機器との間で無線通信を行うために設けられている。本体部１１０（２１０）は、無線ネットワーク通信部１１６ａ（２１６ａ）を介して相手方の通信機器に接続されて通話可能となる。なお、無線ネットワーク通信部１１６ａは、本発明の「第１通信部」の一例であり、無線ネットワーク通信部２１６ａは、本発明の「第２通信部」の一例である。
【００３１】
有線ネットワーク通信部１１６ｂ（２１６ｂ）は、他の通信機器との間で有線通信を行うために設けられている。第１実施形態では、本体部１１０（２１０）は無線ネットワーク通信部１１６ａ（２１６ａ）により相手方のデジタルフォトフレーム２００（１００）に接続されており、有線ネットワーク通信部１１６ｂ（２１６ｂ）は使用されていない。
【００３２】
電源システム部１１７（２１７）は、本体部１１０（２１０）の各部に電力を供給する機能を有している。具体的には、電源システム部１１７（２１７）は、制御部１２１（２２１）からの指示によって、本体部１１０（２１０）の各部に電力を供給しない状態（電源オフ状態）、および、本体部１１０（２１０）の全体に電力を供給する状態（通常動作状態）に切り替わるように構成されている。
【００３３】
音声入出力部１１８（２１８）は、マイク機能およびスピーカ機能を有し、デジタルフォトフレーム１００（２００）がテレビ電話機として機能する際に、ユーザから発せられる音声を受信するとともに、ユーザに相手方の音声を出力するように構成されている。また、音声入出力部１１８（２１８）は、制御部１２１（２２１）からの指示に基づいて、表示部１１１（２１１）のオフフックボタンが押下された場合に動作し、オンフックボタンが押下されると動作を停止するように構成されている。これにより、ユーザは、音声入出力部１１８（２１８）のマイク機能およびスピーカ機能により、受話器を用いることなく通話することが可能である。
【００３４】
撮像部１１９（２１９）は、通話中に相手方の表示部２１１（１１１）に表示される画像を撮像するために設けられている。撮像部１１９（２１９）は、画像を高解像度で撮像可能に構成されている。なお、撮像部１１９は、本発明の「第１撮像部」の一例であり、撮像部２１９は、本発明の「第２撮像部」の一例である。
【００３５】
ＳＬＩＣ１２０（２２０）は、アナログ電話機を接続可能に構成されており、相手方から送信されるデジタル音声信号をアナログ音声信号に変換するとともに、アナログ電話機を介して入力されるアナログ音声信号をデジタル音声信号に変換するように構成されている。これにより、ユーザはアナログ電話機を用いてテレビ電話することが可能である。また、デジタルフォトフレーム１００（２００）は、ユーザがアナログ電話機の受話器を上げた場合にはオフフック状態になり、ユーザがアナログ電話機の受話器を置いた場合にはオンフック状態になる。なお、アナログ電話機が用いられる場合には、上記した音声入出力部１１８（２１８）は動作せず、アナログ電話機の受話器を介して音声の入出力が行われる。また、第１実施形態では、図１おより図２に示すように、ユーザ２側のデジタルフォトフレーム２００にだけアナログ電話機２２０ａが接続されている。なお、ＳＬＩＣ１２０および２２０は、本発明の「アナログ電話通信部」の一例である。
【００３６】
制御部１２１（２２１）は、ＣＰＵからなり、図示しないコンピュータプログラムを実行することにより本体部１１０（２１０）の各部の動作を制御するように構成されている。また、制御部１２１（２２１）は、画像処理を行う画像処理部１２１ａ（２２１ａ）を含んでいる。画像処理部１２１ａ（２２１ａ）は、後述するように、画像を高解像度から低解像度に変換する機能、および、所定の画像にフレームを重ね合わせる機能を有している。なお、画像処理部２２１ａは、本発明の「解像度変換部」および「画像処理部」の一例である。また、制御部１２１（２２１）は、スライドショー表示などのデジタルフォトフレームとしての処理に加えて、後述するように、テレビ電話通話処理、表示範囲設定処理および撮像画像送信処理を実行するように構成されている。なお、制御部１２１は、本発明の「第１制御部」の一例であり、制御部２２１は、本発明の「第２制御部」の一例である。
【００３７】
ここで、テレビ電話通話処理とは、第１実施形態によるデジタルフォトフレーム１００（２００）がテレビ電話機として機能する場合に、制御部１２１（２２１）によりテレビ電話中（通話中）に継続的に実行される処理である。また、表示範囲設定処理とは、通話中に撮像部１１９（２１９）により撮像されて相手方の表示部２１１（１１１）に表示される画像の表示範囲を設定する処理である。また、撮像画像送信処理とは、通話中に撮像部１１９（２１９）により撮像されて相手方の表示部２１１（１１１）に表示される低画質の低解像度画像のうち、相手方から要求される画像を高画質の高解像度で送信する処理である。
【００３８】
次に、図３を参照して、本発明の第１実施形態によるテレビ電話システム１のテレビ電話通話処理について説明する。なお、デジタルフォトフレーム１００の制御部１２１およびデジタルフォトフレーム２００の制御部２２１は、同様にテレビ電話通話処理を実行するので、ここでは、デジタルフォトフレーム１００の制御部１２１による処理について説明し、デジタルフォトフレーム２００の制御部２２１による処理については説明を省略する。
【００３９】
後述するテレビ電話開始処理において通話処理が開始されると、制御部１２１は、ステップＳ１において、撮像部１１９を制御してデジタルフォトフレーム１００側の画像を撮像し、ステップＳ２において、撮像部１１９により撮像された画像を図示しないフレームバッファに一時的に保存する。フレームバッファとは、撮像した画像のラスタデータを一時的に記憶するメモリである。そして、制御部１２１は、ステップＳ３において、保存した画像を最適化する。具体的には、制御部１２１は、撮像部１１９により撮像された高画質の高解像度画像を画像処理部１２１ａにより低画質の低解像度画像に変換する。これにより、画像サイズ（データ容量）が縮小されるので、通話中に相手方に送信される情報量が低減される。そして、制御部１２１は、ステップＳ４において、無線ネットワーク通信部１１６ａを介して、ユーザから入力された音声信号と最適化された画像とをタイミングを合わせて相手方（デジタルフォトフレーム２００側）に送信する。なお、第１実施形態のデジタルフォトフレーム２００のようにアナログ電話機２２０ａが接続されてアナログ電話機２２０ａにより通話される場合には、制御部２２１は、ユーザから入力されたアナログ音声信号をＳＬＩＣ２２０によりデジタル音声信号に変換した後、無線ネットワーク通信部２１６ａを介して、変換済みの音声信号と最適化された画像とをタイミングを合わせて相手方に送信する。
【００４０】
次に、図４〜図６を参照して、本発明の第１実施形態によるテレビ電話システム１の表示範囲設定処理について説明する。なお、デジタルフォトフレーム１００の制御部１２１およびデジタルフォトフレーム２００の制御部２２１は、同様に表示範囲設定処理を実行するので、ここでは、デジタルフォトフレーム１００の制御部１２１による処理について説明し、デジタルフォトフレーム２００の制御部２２１による処理については説明を省略する。
【００４１】
ユーザにより図示しないメニュー画面から表示範囲設定の項目が選択されると、制御部１２１は、ステップＳ１１において、撮像部１１９により撮像された画像を表示部１１１に表示させる。すなわち、デジタルフォトフレーム１００の表示部１１１にデジタルフォトフレーム１００の撮像部１１９で撮像された画像が表示される。これにより、ユーザは、撮像部１１９により撮像された自分の姿を表示部１１１で確認することが可能となる。その後、ステップＳ１２において、制御部１２１により、ユーザにより電話番号が入力されたか否かが判断され、電話番号が入力されるまでこの判断が繰り返される。第１実施形態では、通話相手に応じた表示範囲を設定することが可能であり、ユーザは、まず通話相手を識別するための電話番号を入力する必要がある。電話番号が入力されると、制御部１２１は、ステップＳ１３において、入力された電話番号をフラッシュＲＯＭ１１４に記憶させる。
【００４２】
そして、ステップＳ１４において、制御部１２１により、ユーザにより表示範囲が指定されたか否かが判断される。ユーザは、表示部１１１に自分の姿が表示された状態で、表示部１１１のタッチパネル機能を用いて表示範囲を指定することが可能である。たとえば、ユーザが相手方の表示部２１１に背景は表示されずに自分の姿だけが表示されるように表示範囲を設定したい場合には、ユーザは、図５に示すように、表示部１１１に表示された画像に対して自分の姿の輪郭１１１ａに沿って表示部１１１の表面を指でなぞることによって、所望の表示範囲を指定することが可能である。なお、図５には、ユーザが指定する表示範囲を太線で図示している。また、タッチパネル機能を有する表示部１１１および２１１は、本発明の「表示範囲受付部」の一例である。
【００４３】
制御部１２１により、ユーザにより表示範囲が指定されるまでこの判断が繰り返され、表示範囲が指定されると、ステップＳ１５において、指定された表示範囲のフレームが作成される。この際、制御部１２１は、図６に示すように、ユーザにより指定された表示範囲以外の部分を覆い隠すためのフレーム１１１ｂを作成する。具体的には、制御部１２１は、指定された表示範囲以外の部分が網掛け状に塗りつぶされたフレーム１１１ｂを作成する。その後、制御部１２１は、ステップＳ１６において、作成したフレームを入力された電話番号に対応付けてフラッシュＲＯＭ１１４に記憶させる。これにより、ユーザは、通話相手に応じた表示範囲を設定することが可能である。
【００４４】
次に、図７〜図９を参照して、本発明の第１実施形態によるテレビ電話システム１の撮像画像送信処理について説明する。以下では、ユーザ１により撮像画像が要求され、ユーザ１が要求する撮像画像がユーザ２側のデジタルフォトフレーム２００からユーザ１側のデジタルフォトフレーム１００に送信される例について説明する。なお、ユーザ２が要求する撮像画像をユーザ１側のデジタルフォトフレーム１００からユーザ２側のデジタルフォトフレーム２００に送信する場合も以下と同様の処理が行われる。
【００４５】
ユーザ１またはユーザ２のいずれかから相手方に電話が掛けられると、デジタルフォトフレーム１００および２００の間の通信セッションが開始される。そして、ユーザ１側のデジタルフォトフレーム１００の制御部１２１およびユーザ２側のデジタルフォトフレーム２００の制御部２２１は、それぞれ、ステップＳ２１およびＳ４１において、テレビ電話開始処理を実行する。
【００４６】
図８を参照して、図７のステップＳ２１およびＳ４１におけるテレビ電話開始処理について説明する。なお、ユーザ１側の制御部１２１およびユーザ２側の制御部２２１は、同様にテレビ電話開始処理を実行する。
【００４７】
まず、ステップＳ２１１において、制御部１２１（２２１）により、表示範囲設定があるか否かが判断される。具体的には、制御部１２１（２２１）は、上記した表示範囲設定処理（図４参照）により相手方の電話番号に対応付けられたフレームがフラッシュＲＯＭ１１４（２１４）に記憶されているか否かを判断する。制御部１２１（２２１）は、対応するフレームが記憶されている場合には表示範囲設定ありと判断し、対応するフレームが記憶されていない場合には表示範囲設定なしと判断する。
【００４８】
表示範囲設定があれば、制御部１２１（２２１）は、ステップＳ２１２において、表示画面の変更を行う。詳細には、制御部１２１（２２１）は、画像処理部１２１ａ（２２１ａ）により、撮像部１１９（２１９）により撮像された画像にフラッシュＲＯＭ１１４（２１４）内の対応するフレームを重ね合わせる処理を行う。たとえば、上記した表示範囲設定処理（図４参照）を説明するために用いた図５および図６の例の場合には、図９に示すように、撮像された画像の背景がフレーム１１１ｂにより覆い隠されて自分の姿だけが表示される状態になる。これにより、撮像部１１９（２１９）により撮像されて上記したテレビ電話通話処理（図３参照）により通話中に相手方に送信される低解像度画像（最適化された画像）を指定した表示範囲にすることが可能である。
【００４９】
一方、表示範囲設定がない場合には、制御部１２１（２２１）は、表示画面変更を行うことなくステップＳ２１３に進む。そして、ステップＳ２１３において、制御部１２１（２２１）は、上記したテレビ電話通話処理（図３参照）を開始する。なお、制御部１２１（２２１）は、図７のステップＳ２８（Ｓ４８）でテレビ電話終了処理が行われるまで継続してテレビ電話通話処理を実行する。
【００５０】
図８に示したテレビ電話開始処理が終了されると、ユーザ１側の制御部１２１は、図７のステップＳ２２において、ユーザ１により表示部１１１に表示される画像送信可否ボタン（図示せず）が押下されたか否かを判断し、押下されない場合には、ステップＳ２７に移行する。ユーザ１は、相手方（ユーザ２側）の撮像部２１９により撮像されて自分側の表示部１１１に表示される低画質の低解像度画像を高画質の高解像度画像として要求する場合に、表示部１１１に表示される画像送信可否ボタンを押下する。ユーザ１により画像送信可否ボタンが押下されると、制御部１２１は、ステップＳ２３において、無線ネットワーク通信部１１６ａを介して画像送信可否信号を相手方（ユーザ２側）のデジタルフォトフレーム２００に送信する。
【００５１】
ユーザ２側の制御部２２１は、図８に示したテレビ電話開始処理が終了されると、ステップＳ４２において、画像送信可否信号を受信したか否かを判断し、受信しない場合にはステップＳ４７に移行する。そして、無線ネットワーク通信部２１６ａを介して画像送信可否信号を受信すると、制御部２２１は、ステップＳ４３において、ユーザ２により表示部２１１に表示される送信許可ボタン（図示せず）が押下されたか否かを判断する。ユーザ２は、自分側の撮像部２１９により撮像された高画質の高解像度画像を相手方（ユーザ１側）に送信しても構わない場合に、表示部２１１に表示される送信許可ボタンを押下する。ユーザ２により送信許可ボタンが押下されると、制御部２２１は、ステップＳ４４において、無線ネットワーク通信部２１６ａを介して送信許可信号をデジタルフォトフレーム１００に送信する。送信許可ボタンが押下されない場合には、ステップＳ４７に移行する。なお、表示部２１１は、本発明の「許可受付部」の一例である。
【００５２】
ユーザ１側の制御部１２１は、ステップＳ２４において、送信許可信号を受信したか否かを判断し、受信しない場合には、ステップＳ２７に移行する。送信許可信号を受信すると、制御部１２１は、ステップＳ２５において、ユーザ１により表示部１１１に表示される画像要求ボタンが押下されたか否かを判断する。ユーザ１は、相手方（ユーザ２側）の撮像部２１９により撮像されて自分側の表示部１１１に表示される画像を見ながら、所望のタイミングで画像要求ボタンを押下する。画像要求ボタンが押下されない場合には、ステップＳ２７に移行し、押下されると、制御部１２１は、ステップＳ２６において、無線ネットワーク通信部１１６ａを介して画像要求信号を相手方（ユーザ２側）のデジタルフォトフレーム２００に送信する。
【００５３】
ユーザ２側の制御部２２１は、ステップＳ４５において、画像要求信号を受信したか否かを判断し、受信しない場合にはステップＳ４７に移行する。無線ネットワーク通信部２１６ａを介して画像要求信号を受信すると、制御部２２１は、ステップＳ４６において、撮像部２１９により撮像中の高解像度画像をフラッシュＲＯＭ２１４に保存する。すなわち、フラッシュＲＯＭ２１４に記憶される高画質の高解像度画像は画像処理部２２１ａにより低画質の低解像度画像に変換されない。
【００５４】
その後、ユーザ１側およびユーザ２側のそれぞれの制御部１２１および２２１は、ステップＳ２７およびＳ４７において、ユーザからテレビ電話終了指示があったか否かを判断する。具体的には、制御部１２１（２２１）は、ユーザ１（ユーザ２）によりデジタルフォトフレーム１００（２００）のテレビ電話機能がオンフック状態（回線切断指示状態）にされたか否かを判断し、オンフック状態にされなければ（オフフック状態（回線接続指示状態）が継続されていれば）、ステップＳ２２（ステップＳ４２）に移行する。そして、オンフック状態にされると、制御部１２１（２２１）は、ステップＳ２８（ステップＳ４８）において、テレビ電話終了処理を実行する。具体的には、制御部１２１（２２１）は、上記したテレビ電話通話処理（図３参照）を終了する。これにより、ユーザから入力された音声信号と最適化された画像とを相手方に送信する通話中の状態が通話が終了された状態に切り替えられる。
【００５５】
テレビ電話通話処理を終了した後、ユーザ１側の制御部１２１は、ステップＳ２９において、通話中に送信した画像要求信号に対応する高画質の高解像度画像の送信要求信号を無線ネットワーク通信部１１６ａを介して相手方（ユーザ２側）のデジタルフォトフレーム２００に送信する。
【００５６】
ユーザ２側の制御部２２１は、テレビ電話通話処理を終了した後、ステップＳ４９において、送信要求信号を受信したか否かを判断し、受信するまでこの判断を繰り返す。無線ネットワーク通信部２１６ａを介して送信要求信号を受信すると、制御部２２１は、ステップＳ５０において、ステップＳ４６でフラッシュＲＯＭ２１４に保存した高画質の高解像度画像を無線ネットワーク通信部２１６ａを介して相手方（ユーザ１側）のデジタルフォトフレーム１００に送信する。そして、制御部２２１は、ステップＳ５１において、画像送信が終了したか否かを判断し、画像送信が終了するまでステップＳ５０およびＳ５１の動作を繰り返す。
【００５７】
ユーザ１側の制御部１２１は、ステップＳ３０において、相手方（ユーザ２側）から送信される高画質の高解像度画像を無線ネットワーク通信部１１６ａを介して受信する。そして、制御部１２１は、ステップＳ３１において、画像受信が終了したか否かを判断し、画像受信が終了するまでステップＳ３０およびＳ３１の動作を繰り返す。
【００５８】
ユーザ１側およびユーザ２側でそれぞれ画像受信および画像送信が終了されると、デジタルフォトフレーム１００および２００の間の通信セッションが終了する。なお、通話中に画像要求信号が送信されなかった場合には、ユーザ１側およびユーザ２側ともに、テレビ電話終了処理後、高解像度画像の送受信を行うことなく通信セッションが終了する。
【００５９】
第１実施形態では、上記のように、通話中に相手方のデジタルフォトフレーム１００から送信される画像要求信号を無線ネットワーク通信部２１６ａを介して受信した場合に、相手方との通話が終了した後に画像要求信号に対応する画像を相手方のデジタルフォトフレーム１００に送信する制御を行う制御部２２１をデジタルフォトフレーム２００に設けることによって、相手方との通話が終了した後に相手方が要求する画像が送信されるので、通話中に送信する情報量を増大させることなく相手方が要求する画像を送信することができる。その結果、通話中のテレビ電話の処理に不具合が生じるのを抑制しながら、相手方が要求する画像を送信することができる。
【００６０】
また、第１実施形態では、デジタルフォトフレーム２００の制御部２２１により、相手方（デジタルフォトフレーム１００側）との通話中にデジタルフォトフレーム２００の撮像部２１９により撮像された高解像度画像を画像処理部２２１ａにより低解像度画像に変換して相手方のデジタルフォトフレーム１００に送信するとともに、通話中に撮像部２１９により撮像された画像に対する画像要求信号を受信した場合に、相手方との通話が終了した後に画像要求信号に対応する撮像部２１９により撮像された高解像度画像を相手方のデジタルフォトフレーム１００に送信する。これにより、通話中のテレビ電話の処理に不具合が生じるのを抑制しながら、相手方が要求する撮像部２１９により撮像された画像を高画質の高解像度画像で送信することができる。
【００６１】
また、第１実施形態では、デジタルフォトフレーム２００のフラッシュＲＯＭ２１４に画像要求信号に対応する撮像部２１９により撮像された高解像度画像を記憶し、デジタルフォトフレーム２００の制御部２２１により、相手方（デジタルフォトフレーム１００側）との通話中に撮像部２１９により撮像された画像に対する画像要求信号を相手方から受信した場合に、相手方との通話が終了した後に撮像部２１９により撮像されてフラッシュＲＯＭ２１４に記憶された高解像度画像を相手方のデジタルフォトフレーム１００に送信する。これにより、相手方が要求する撮像部２１９により撮像された高解像度画像をフラッシュＲＯＭ２１４から読み出して容易に相手方に撮像部２１９により撮像された高画質の高解像度画像を送信することができる。
【００６２】
また、第１実施形態では、デジタルフォトフレーム１００（２００）の表示部１１１（２１１）により、相手方の表示部２１１（１１１）に表示される画像の表示範囲の制限情報を受け付け、画像処理部１２１ａ（２２１ａ）により、表示部１１１（２１１）により受け付けられた表示範囲に画像が表示されるように撮像部１１９（２１９）により撮像された画像を処理するとともに、制御部１２１（２２１）により、通話中に画像処理部１２１ａ（２２１ａ）により処理された画像を相手方に送信する。これにより、表示範囲が制限された状態の画像が相手方に送信されるので、撮像部１１９（２１９）により撮像された画像のうちの相手に見られたくない部分を見られないようにすることができる。
【００６３】
また、第１実施形態では、表示部１１１（２１１）のタッチパネル機能を用いて表示範囲の制限情報を受け付けることによって、操作が容易なタッチパネル機能によりユーザにとって表示範囲を指定し易くすることができる。
【００６４】
また、第１実施形態では、表示部１１１（２１１）により通話相手に応じた表示範囲の制限情報を受け付け、制御部１２１（２２１）により、通話中に表示部１１１（２１１）により受け付けられた通話相手に応じた表示範囲の画像を相手方に送信することによって、通話相手に応じて見られたくない部分が異なる場合にも、見られたくない部分を通話相手に応じて適切に見られないようにすることができる。
【００６５】
また、第１実施形態では、デジタルフォトフレーム１００の制御部１２１により、デジタルフォトフレーム１００側のユーザの操作に基づいて画像要求信号をデジタルフォトフレーム２００に対して送信する際に、デジタルフォトフレーム１００に対して高解像度画像を送信することの可否をデジタルフォトフレーム２００側のユーザに問う画像送信可否信号を無線ネットワーク通信部１１６ａを介してデジタルフォトフレーム２００に送信する。そして、デジタルフォトフレーム２００の表示部２１１により、デジタルフォトフレーム１００から送信される画像送信可否信号を無線ネットワーク通信部２１６ａを介して受信した場合にデジタルフォトフレーム２００側のユーザから高解像度画像の送信を許可する許可情報を受け付け、デジタルフォトフレーム２００の制御部２２１により、ユーザからの許可情報が受け付けられない場合には、画像要求信号に対応する高解像度画像をデジタルフォトフレーム１００に送信しないようにする。これにより、デジタルフォトフレーム２００側のユーザが許可しない限り相手方（デジタルフォトフレーム１００側）が要求する高解像度画像が相手方に送信されないので、ユーザが相手方の要求する画像を相手方に送信したくない場合に、相手方が要求する高解像度画像がデジタルフォトフレーム２００側のユーザの意に反して送信されてしまうのを防止することができる。
【００６６】
また、第１実施形態では、デジタルフォトフレーム１００（２００）のＳＬＩＣ１２０（２２０）により接続されたアナログ電話機に対して音声信号を送受信するとともに、制御部１２１（２２１）により、アナログ電話機を介して入力された音声信号と音声信号に対応する撮像部１１９（２１９）により撮像された画像とのタイミングを合わせることによって、テレビ電話の通話機能としてアナログ電話機を用いた場合でも、音声と画像とのタイミングが合った状態でテレビ電話で通話することができる。
【００６７】
（第２実施形態）
次に、第２実施形態について説明する。この第２実施形態では、上記第１実施形態と異なり、相手方の要求に応じて高画質の高解像度画像からなる公開画像を相手方に送信するテレビ電話システム１について説明する。
【００６８】
本発明の第２実施形態によるデジタルフォトフレーム１００（２００）のフラッシュＲＯＭ１１４（２１４）には、通話相手に公開する高画質の高解像度画像からなる公開画像が記憶されている。公開画像は、メディア接続部１１３（２１３）を介して各種メディアから読み取られた画像である。ユーザは、フラッシュＲＯＭ１１４（２１４）内において、公開画像をジャンル別に異なる公開フォルダに格納することも可能である。
【００６９】
ここで、第２実施形態では、制御部１２１（２２１）は、図示しないコンピュータプログラムを実行することによって公開画像送信処理を行うように構成されている。公開画像送信処理とは、通話中に相手方に公開した公開画像のうち相手方が要求する公開画像を高解像度で送信する処理である。また、制御部１２１（２２１）の画像処理部１２１ａ（２２１ａ）は、フラッシュＲＯＭ１１４（２１４）内の高画質の高解像度画像からなる公開画像を低画質の低解像度画像からなるサムネイル画像に変換する機能を有している。
【００７０】
次に、図１０〜図１２を参照して、本発明の第２実施形態によるテレビ電話システム１の公開画像送信処理について説明する。以下では、ユーザ２側のフラッシュＲＯＭ２１４に公開画像が格納されている例について説明する。また、上記第１実施形態の図７に示した撮像画像送信処理と同様の動作については、図１０の公開画像送信処理のフローチャートにおいて同じ符号を付してその説明を省略する。
【００７１】
ユーザ１側の制御部１２１は、ステップＳ２１のテレビ電話開始処理が終了した後、ステップＳ１０１において、ユーザ１により表示部１１１に表示される公開フォルダ閲覧ボタン（図示せず）が押下されたか否かを判断する。具体的には、ユーザ２側のフラッシュＲＯＭ２１４に公開画像が格納されている場合、通話中のユーザ１側の表示部１１１には、図１１に示すように公開フォルダ閲覧ボタン１１１ｃおよび１１１ｄが表示される。公開フォルダ閲覧ボタンは、ユーザ２側のフラッシュＲＯＭ２１４内にある公開フォルダの個数に応じて表示される。また、ユーザ２側のフラッシュＲＯＭ２１４内に公開画像がない場合には、ユーザ１側の表示部１１１には、公開フォルダ閲覧ボタンは表示されない。ユーザ１は、ユーザ２の公開画像を閲覧したい場合に、所望するフォルダの公開フォルダ閲覧ボタンを押下する。そして、ユーザ１により公開フォルダ閲覧ボタンが押下されると、制御部１２１は、ステップＳ１０２において、無線ネットワーク通信部１１６ａを介して閲覧要求信号を相手方（ユーザ２側）のデジタルフォトフレーム２００に送信する。
【００７２】
一方、ユーザ２側（相手方）の制御部２２１は、ステップＳ４１のテレビ電話開始処理が終了した後、ステップＳ１１１において、閲覧要求信号を受信したか否かを判断し、受信しない場合にはステップＳ４７に移行する。無線ネットワーク通信部２１６ａを介して閲覧要求信号を受信すると、制御部２２１は、ステップＳ１１２において、サムネイル画像を作成する。具体的には、制御部２２１は、画像処理部２２１ａにより、押下された公開フォルダ閲覧ボタンに対応するフォルダ内の高画質の高解像度画像からなる公開画像を低解像度画像からなるサムネイル画像に変換する。これにより、画像サイズが縮小されるので、通話中に相手方に送信される情報量が低減される。なお、サムネイル画像の作成処理では、対応する高画質の高解像度画像からなる公開画像が複写されて低画質の低解像度画像からなるサムネイル画像に変換されるので、フォルダ内には元の高画質の高解像度画像からなる公開画像が残ったままとなる。そして、制御部２２１は、作成したサムネイル画像を無線ネットワーク通信部２１６ａを介して相手方（ユーザ１側）のデジタルフォトフレーム１００に送信する。
【００７３】
ユーザ１側の制御部１２１は、ステップＳ１０３において、相手方（ユーザ２側）から送信されたサムネイル画像を表示部１１１に表示する。具体的には、図１２に示すように、表示部１１１の表示領域の左半分に相手方（ユーザ２側）の撮像部２１９により撮像された画像が表示され、表示領域の右半分にフォルダ内のサムネイル画像が一覧表示される。その後、制御部１２１は、ステップＳ１０４において、ユーザ１によりいずれかのサムネイル画像が選択されたか否かを判断する。ユーザ１は、一覧表示されたサムネイル画像のうち高画質の高解像度画像として要求する画像がある場合には、表示部１１１に表示されたサムネイル画像を選択する。この際、ユーザ１は複数のサムネイル画像を選択することも可能である。そして、ユーザ１によりいずれのサムネイル画像も選択されない場合には、ステップＳ２７に移行し、いずれかのサムネイル画像が選択された場合には、制御部１２１は、ステップＳ１０５において、無線ネットワーク通信部１１６ａを介して画像要求信号を相手方（ユーザ２側）のデジタルフォトフレーム２００に送信する。
【００７４】
ユーザ２側（相手方）の制御部２２１は、ステップＳ１１４において、画像要求信号を受信したか否かを判断し、受信しなければステップＳ４７に移行する。無線ネットワーク通信部２１６ａを介して画像要求信号を受信すると、制御部２２１は、ステップＳ１１５において、ユーザ１により選択されたサムネイル画像に対応する高画質の高解像度画像からなる公開画像を確認する。
【００７５】
そして、ステップＳ２７（Ｓ４７）およびステップＳ２８（Ｓ４８）においてテレビ電話終了処理が行われた後、上記した第１実施形態の撮像画像送信処理と同様の動作によって、対応する高画質の高解像度画像からなる公開画像の送受信が行われ、デジタルフォトフレーム１００および２００の間の通信セッションが終了する。なお、通話中に画像要求信号が送信されなかった場合には、ユーザ１側およびユーザ２側ともに、テレビ電話終了処理後、高画質の高解像度画像の送受信を行うことなく通信セッションが終了する。
【００７６】
なお、第２実施形態のその他の構成は、上記第１実施形態と同様である。
【００７７】
第２実施形態では、上記のように、デジタルフォトフレーム２００のフラッシュＲＯＭ２１４にデジタルフォトフレーム１００に対して公開する高解像度画像からなる公開画像を記憶する。そして、デジタルフォトフレーム２００の制御部２２１により、公開画像の閲覧要求に応じて相手方（デジタルフォトフレーム１００側）との通話中にフラッシュＲＯＭ２１４に記憶された高解像度画像からなる公開画像を画像処理部２２１ａにより低解像度画像に変換して相手方のデジタルフォトフレーム１００に送信するとともに、閲覧された公開画像のうちの少なくとも一部に対して通話中に画像要求信号を相手方から受信した場合に相手方との通話が終了した後に画像要求信号に対応するフラッシュＲＯＭ２１４に記憶された高解像度画像からなる公開画像を相手方のデジタルフォトフレーム１００に送信する。これにより、通話中に低画質の低解像度画像に変換された公開画像を送信して送信する情報量が増大するのを抑制しながら、相手方が要求する高解像度画像からなる公開画像をフラッシュＲＯＭ２１４から読み出して容易に相手方に高画質の高解像度画像からなる公開画像を送信することができる。
【００７８】
なお、第２実施形態のその他の効果は、上記第１実施形態と同様である。
【００７９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８０】
たとえば、上記第１および第２実施形態では、第１通話機器および第２通話機器の一例として、テレビ電話機能を有するデジタルフォトフレームを示したが、本発明はこれに限らず、テレビ電話機能を有していれば、デジタルフォトフレーム以外の他の電子機器を第１通話機器および第２通話機器として用いてもよい。この場合、第１通話機器および第２通話機器として互いに異なる種類のテレビ電話機能を有する電子機器を用いてもよい。
【００８１】
また、上記第１および第２実施形態では、双方いずれの通話機器からでも相手方が要求する高解像度画像を送信可能に構成する例を示したが、本発明はこれに限らず、いずれか一方の通話機器のみから相手方（他方側）が要求する高解像度画像を送信可能に構成してもよい。この場合、他方の通話機器を画像要求信号を送信可能に構成すればよい。
【００８２】
また、上記第１実施形態では、制御部により撮像画像送信処理を実行可能に構成するとともに、上記第２実施形態では、制御部により公開画像送信処理を実行可能に構成する例を示したが、本発明はこれに限らず、同一の通信セッションにおいて、制御部により撮像画像送信処理および公開画像送信処理の両方を実行可能に構成してもよい。
【００８３】
また、上記第１および第２実施形態では、ユーザがタッチパネル機能を用いて指でなぞった範囲を表示範囲として指定する構成の例を示したが、本発明はこれに限らず、既定の表示範囲のフレームを予め記憶部に格納しておき、ユーザが記憶部内からフレームを選択して表示範囲を指定する構成であってもよい。この場合、既定の表示範囲を、表示部の表示領域の中央にユーザの顔部分だけが表示可能となる円形形状の表示範囲や、表示部の表示領域の上半分のみが表示可能となる表示範囲にしてもよい。
【００８４】
また、上記第１および第２実施形態では、第１通話機器および第２通話機器としてのデジタルフォトフレーム１００および２００の両方に、ＳＬＩＣ１２０（２２０）と、マイク機能およびスピーカ機能を有する音声入出力部を設ける例を示したが、本発明はこれに限らず、ＳＬＩＣのようなアナログ電話機を接続可能なアナログ電話通信部を備えた通話機器であれば、音声入出力部を設けなくてもよい。
【００８５】
また、上記第１および第２実施形態では、通話中に１回のみ画像要求信号を送信する例を示したが、本発明はこれに限らず、複数の高解像度画像を要求する場合には通話中に複数回画像要求信号を送信してもよい。
【００８６】
また、上記第１および第２実施形態では、第１通話機器としてのデジタルフォトフレーム１００および第２通話機器としてのデジタルフォトフレーム２００の両方に、表示範囲受付部として機能する表示部、および、ユーザにより指定された表示範囲になるように画像を処理する画像処理部を設ける例を示したが、本発明はこれに限らず、第１通話機器または第２通話機器のいずれか一方だけに表示範囲受付部および画像処理部を設けてもよい。
【００８７】
また、上記第１および第２実施形態では、第１通話機器としてのデジタルフォトフレーム１００および第２通話機器としてのデジタルフォトフレーム２００の両方に、アナログ電話通信部としてのＳＬＩＣを設ける例を示したが、本発明はこれに限らず、第１通話機器または第２通話機器のいずれか一方だけにアナログ電話通信部を設けてもよい。
【００８８】
また、上記第１実施形態では、ユーザにより送信許可ボタンが押下されない場合に、相手方から画像要求信号が送信されない構成の例を示したが、本発明はこれに限らず、ユーザにより送信許可ボタンが押下されない場合に画像要求信号に対応する画像を送信しない構成であれば、ユーザにより送信許可ボタンが押下されない場合でも相手方から画像要求信号が送信可能な構成であってもよい。
【００８９】
また、上記第２実施形態では、記憶部としてのフラッシュＲＯＭに公開画像が記憶されている場合に、相手方の表示部に公開フォルダ閲覧ボタンが表示される構成の例を示したが、本発明はこれに限らず、フラッシュＲＯＭに公開画像が記憶されている場合であっても、通話相手に応じて表示部に公開フォルダ閲覧ボタンを表示しない構成であってもよい。この場合、所定の通話相手に対してのみ公開する公開画像を予め設定しておいてもよい。
【符号の説明】
【００９０】
１  テレビ電話システム
１００  デジタルフォトフレーム（第１通話機器）
１１１  表示部（第１表示部、表示範囲受付部）
１１６ａ  無線ネットワーク通信部（第１通信部）
１１９  撮像部（第１撮像部）
１２０、２２０  ＳＬＩＣ（アナログ電話通信部）
１２１  制御部（第１制御部）
１２１ａ  画像処理部
２００  デジタルフォトフレーム（第２通話機器）
２１１  表示部（第２表示部、表示範囲受付部、許可受付部）
２１４  フラッシュＲＯＭ（記憶部）
２１６ａ  無線ネットワーク通信部（第２通信部）
２１９  撮像部（第２撮像部）
２２１  制御部（第２制御部）
２２１ａ  画像処理部（解像度変換部、画像処理部）
【図１】
0005407725.tif 000002
【図２】
0005407725.tif 000003
【図３】
0005407725.tif 000004
【図４】
0005407725.tif 000005
【図５】
0005407725.tif 000006
【図６】
0005407725.tif 000007
【図７】
0005407725.tif 000008
【図８】
0005407725.tif 000009
【図９】
0005407725.tif 000010
【図１０】
0005407725.tif 000011
【図１１】
0005407725.tif 000012
【図１２】
0005407725.tif 000013